(57)【要約】【課題】利用者が前回通話した相手先にリダイアル機能によって通信回線を接続することにより、利用者にとって操作性の高い警備装置を提供する。【解決手段】リダイアル電話番号記憶部１０６は、前回通話した電話番号の通信機器に再接続するリダイアルに用いるリダイアル電話番号を記憶し、通信制御部１０４は、接続を指示された電話番号の通信機器に通信回線を接続するとともに、電話番号と監視センタ電話番号記憶部１０２に格納された監視センタの電話番号とが同一でない場合にのみ電話番号をリダイアル電話番号記憶部１０６に格納し、リダイアル入力部１０５は、リダイアルの指示を受付けるとともに、リダイアル電話番号記憶部１０６に格納されているリダイアル電話番号を取得し、通信制御部１０４に対して取得したリダイアル電話番号の通信機器への通信回線の接続を指示する。【選択図】        図１
2006279875.tif 000002
【特許請求の範囲】
【請求項１】
通信回線で接続されている監視センタに対して通信回線の接続および自装置の故障の少なくともいずれか一方を一定間隔で確認する確認情報を送信する警備装置において、
前記監視センタの電話番号を記憶する監視センタ電話番号記憶手段と、
前回通話した電話番号の通信機器に再接続するリダイアルに用いるリダイアル電話番号を記憶するリダイアル電話番号記憶手段と、
接続を指示された電話番号の通信機器に通信回線を接続するとともに、前記電話番号と前記監視センタ電話番号記憶手段に格納された前記監視センタの電話番号とが同一でない場合にのみ前記電話番号を前記リダイアル電話番号記憶手段に格納する通信制御手段と、
前記リダイアルの指示を受付けるとともに、前記リダイアル電話番号記憶手段に格納されている前記リダイアル電話番号を取得し、前記通信制御手段に対して取得した前記リダイアル電話番号の通信機器への通信回線の接続を指示するリダイアル入力手段と、
を備えることを特徴とする警備装置。
【請求項２】
前記リダイアル電話番号記憶手段は、さらに前記リダイアル電話番号として１つの電話番号を記憶すること、を特徴とする請求項１に記載の警備装置。
【請求項３】
前記リダイアル電話番号記憶手段は、さらに前記リダイアル電話番号として複数の電話番号を記憶し、
前記リダイアル入力手段は、さらに前記リダイアルの指示を受付けた場合に、前記リダイアル電話番号記憶手段によって記憶されている前記リダイアル電話番号の中で最も新しく格納された前記リダイアル電話番号を取得し、前記通信制御手段に対して取得した前記リダイアル電話番号の通信機器への通信回線の接続を指示すること、を特徴とする請求項１に記載の警備装置。
【請求項４】
前記リダイアル電話番号記憶手段は、さらに前記リダイアル電話番号として複数の電話番号を記憶し、
前記通信制御手段は、さらに接続を指示された総ての電話番号を前記リダイアル電話番号記憶手段に格納し、
前記リダイアル入力手段は、さらに前記リダイアルの指示を受付けた場合に、前記リダイアル電話番号記憶手段に格納されている前記リダイアル電話番号を最も新しく格納した順に取得し、取得された前記リダイアル電話番号と前記監視センタ電話番号記憶手段に格納された前記監視センタの電話番号とが同一でない場合にのみ前記通信制御手段に対して取得した前記リダイアル電話番号の通信機器への通信回線の接続を指示すること、を特徴とする請求項１に記載の警備装置。
【請求項５】
前記警備装置は、さらに有線または無線で通信機器と接続され、
前記通信制御手段は、さらに接続された前記通信機器によって入力を受付けた電話番号の通信機器に通信回線を接続し、前記電話番号を前記リダイアル電話番号記憶手段に格納すること、を特徴とする請求項１〜４のいずれか一つに記載の警備装置。
【発明の詳細な説明】
【技術分野】
【０００１】
本発明は、警備装置に関するものであり、特に電話機能の利用に関するものである。
【背景技術】
【０００２】
従来、警備装置と監視センタが通信回線（電話回線）を介して接続されている警備システムが一般に知られている。かかる警備装置は各種センサが監視領域内の異常を検知すると警報情報を監視センタに送信するものであり、確実に警報情報を監視センタに送信するためには、頻繁に通信回線の断線確認が必要であり、接続操作が煩雑であるいう問題があった。
【０００３】
このような問題を解決するものとして、断線監視システムが開示されている（特許文献１参照）。かかる断線監視システムでは、警備装置側で監視システムの電話番号を予め記憶しておき、所定時間内に監視センタに発呼信号と警備装置の電話番号を送信し、接続されている電話網を介して送出予告信号、監視装置の電話番号を監視センタが受信することによって、電話回線が接続されていることを確認するものである。
【０００４】
【特許文献１】特開平１１−１３６３５７号公報
【発明の開示】
【発明が解決しようとする課題】
【０００５】
しかしながら、上記特許文献１に記載された技術では、警備装置から所定時間内に監視センタに通信回線を接続させることによって通信回線が断線しているか否かを監視するものであり、警備装置自体で電話回線を通じて通話することはできなかった。近年、警備装置に電話機能を持たせるものが開発、販売されている。しかし、電話機能を有する警備装置においては、上記特許文献１に記載された技術のように監視センタとの通信回線の断線監視を自動的に行っている場合に、利用者が意識することなく通信回線の接続が行われている。よって、通常の電話において提供されているリダイアル機能を警備装置で実現しようとすると、利用者が前回通話した後に断線監視のために監視センタへの通信回線の接続を行った場合には、リダイアル機能を使用すると監視センタへ通信回線が接続されるという不具合が生じるという問題があった。
【０００６】
また、警備装置は電話回線の接続状態の確認のみならず、当該警備装置自体の故障により警報情報を監視センタに送信できない不具合を当該監視センタで確認する目的で、所定時間毎に監視センタへの通信回線の接続が行われている。この場合も、利用者が前回通話した後に警備装置自身の故障確認のために監視センタへの通信回線の接続を行った場合には、リダイアル機能を使用すると監視センタへ通信回線が接続されるという不具合が生じるという問題があった。
【０００７】
本発明は、上記に鑑みてなされたものであって、利用者が前回通話した相手先にリダイアル機能によって通信回線を接続することにより、利用者にとって操作性の高い警備装置を提供することを目的とする。
【課題を解決するための手段】
【０００８】
上述した課題を解決し、目的を達成するために、請求項１にかかる発明は、通信回線で接続されている監視センタに対して通信回線の接続および自装置の故障の少なくともいずれか一方を一定間隔で確認する確認情報を送信する警備装置において、前記監視センタの電話番号を記憶する監視センタ電話番号記憶手段と、前回通話した電話番号の通信機器に再接続するリダイアルに用いるリダイアル電話番号を記憶するリダイアル電話番号記憶手段と、接続を指示された電話番号の通信機器に通信回線を接続するとともに、前記電話番号と前記監視センタ電話番号記憶手段に格納された前記監視センタの電話番号とが同一でない場合にのみ前記電話番号を前記リダイアル電話番号記憶手段に格納する通信制御手段と、前記リダイアルの指示を受付けるとともに、前記リダイアル電話番号記憶手段に格納されている前記リダイアル電話番号を取得し、前記通信制御手段に対して取得した前記リダイアル電話番号の通信機器への通信回線の接続を指示するリダイアル入力手段と、を備えることを特徴とする。
【０００９】
また、請求項２にかかる発明は、請求項１に記載の警備装置において、前記リダイアル電話番号記憶手段は、さらに前記リダイアル電話番号として１つの電話番号を記憶すること、を特徴とする。
【００１０】
また、請求項３にかかる発明は、請求項１に記載の警備装置において、前記リダイアル電話番号記憶手段は、さらに前記リダイアル電話番号として複数の電話番号を記憶し、前記リダイアル入力手段は、さらに前記リダイアルの指示を受付けた場合に、前記リダイアル電話番号記憶手段によって記憶されている前記リダイアル電話番号の中で最も新しく格納された前記リダイアル電話番号を取得し、前記通信制御手段に対して取得した前記リダイアル電話番号の通信機器への通信回線の接続を指示すること、を特徴とする。
【００１１】
また、請求項４にかかる発明は、請求項１に記載の警備装置において、前記リダイアル電話番号記憶手段は、さらに前記リダイアル電話番号として複数の電話番号を記憶し、前記通信制御手段は、さらに接続を指示された総ての電話番号を前記リダイアル電話番号記憶手段に格納し、前記リダイアル入力手段は、さらに前記リダイアルの指示を受付けた場合に、前記リダイアル電話番号記憶手段に格納されている前記リダイアル電話番号を最も新しく格納した順に取得し、取得された前記リダイアル電話番号と前記監視センタ電話番号記憶手段に格納された前記監視センタの電話番号とが同一でない場合にのみ前記通信制御手段に対して取得した前記リダイアル電話番号の通信機器への通信回線の接続を指示すること、を特徴とする。
【００１２】
また、請求項５にかかる発明は、請求項１〜４のいずれか一つに記載の警備装置において、前記警備装置は、さらに有線または無線で通信機器と接続され、前記通信制御手段は、さらに接続された前記通信機器によって入力を受付けた電話番号の通信機器に通信回線を接続し、前記電話番号を前記リダイアル電話番号記憶手段に格納すること、を特徴とする。
【発明の効果】
【００１３】
請求項１にかかる発明によれば、リダイアル電話番号記憶手段によって、前回通話した電話番号の通信機器に再接続するリダイアルに用いるリダイアル電話番号を記憶し、通信制御手段によって、接続を指示された電話番号の通信機器に通信回線を接続するとともに、電話番号と監視センタ電話番号記憶手段に格納された監視センタの電話番号とが同一でない場合にのみ電話番号をリダイアル電話番号記憶手段に格納し、リダイアル入力手段によって、リダイアルの指示を受付けるとともに、リダイアル電話番号記憶手段に格納されているリダイアル電話番号を取得し、通信制御手段に対して取得したリダイアル電話番号の通信機器への通信回線の接続を指示することにより、利用者が前回通話した電話番号の通信機器に再接続できるため、利用者は操作性の高い警備装置を使用することができるという効果を奏する。
【００１４】
また、請求項２にかかる発明によれば、リダイアル電話番号記憶手段は、さらにリダイアル電話番号として１つの電話番号を記憶することにより、利用者が前回通話した電話番号の通信機器に再接続できるため、利用者は操作性の高い警備装置を使用することができるという効果を奏する。
【００１５】
また、請求項３にかかる発明によれば、リダイアル電話番号記憶手段は、さらにリダイアル電話番号として複数の電話番号を記憶し、リダイアル入力手段は、さらにリダイアルの指示を受付けた場合に、リダイアル電話番号記憶手段によって記憶されているリダイアル電話番号の中で最も新しく格納されたリダイアル電話番号を取得し、前記通信制御手段に対して取得したリダイアル電話番号の通信機器への通信回線の接続を指示することにより、利用者が前回通話した電話番号の通信機器に再接続できるため、利用者は操作性の高い警備装置を使用することができるという効果を奏する。
【００１６】
また、請求項４にかかる発明によれば、リダイアル電話番号記憶手段は、さらにリダイアル電話番号として複数の電話番号を記憶し、通信制御手段は、さらに接続を指示された総ての電話番号をリダイアル電話番号記憶手段に格納し、リダイアル入力手段は、さらにリダイアルの指示を受付けた場合に、リダイアル電話番号記憶手段に格納されているリダイアル電話番号を最も新しく格納した順に取得し、取得されたリダイアル電話番号と監視センタ電話番号記憶手段に格納された監視センタの電話番号とが同一でない場合にのみ前記通信制御手段に対して取得したリダイアル電話番号の通信機器への通信回線の接続を指示することにより、利用者が前回通話した電話番号の通信機器に再接続できるため、利用者は操作性の高い警備装置を使用することができるという効果を奏する。
【００１７】
また、請求項５にかかる発明によれば、通信制御手段は、さらに接続された通信機器によって入力を受付けた電話番号の通信機器に通信回線を接続し、電話番号をリダイアル電話番号記憶手段に格納することにより、利用者が警備装置または通信機器からのいずれの通話に関しても利用者が前回通話した電話番号の通信機器に再接続できるため、利用者は操作性の高い警備装置を使用することができるという効果を奏する。
【発明を実施するための最良の形態】
【００１８】
以下に添付図面を参照して、本発明にかかる警備装置の最良な実施の形態を詳細に説明する。
【００１９】
（第１の実施の形態）
第１の実施の形態について、添付図面を参照して説明する。第１の実施の形態にかかる警備装置は、警備装置が備える電話機能によって通信回線と接続した電話番号を記憶し、リダイアル機能によって記憶されている電話番号に通信回線を再接続するものである。
【００２０】
まず、本発明が適用される警備装置の構成例について説明する。図１は、第１の実施の形態にかかる警備装置を含む監視システムの構成を示すブロック図である。監視システム１０は、警備装置１００と、監視センタ２００と、通信機器３００とから構成されており、警備装置１００と、監視センタ２００と、複数の通信機器３００ａ〜ｎとは電話回線、無線ネットワーク、インターネットなどのネットワーク４００を介して接続されている。
【００２１】
監視センタ２００は、警備装置１００の図示しない異常検知部が異常を検知した場合に送信する警報情報を受信し、警備装置１００が警備している警備領域の監視を行うものである。また、警備装置１００から定期的に送信される確認情報を受信して、警備装置１００との通信回線の接続および警備装置１００の故障を確認するものである。
【００２２】
通信機器３００は、ネットワーク４００に接続されている電話機などの通信機器であり、電話回線に接続されている通常の電話機などのほか、ＩＰ（Internet Protocol）ネットワークで接続されて通信を行うＩＰ電話なども含まれる。
【００２３】
本実施の形態にかかる警備装置１００は、定時情報送信部１０１と、監視センタ電話番号記憶部１０２と、電話番号入力部１０３と、通信制御部１０４と、リダイアル入力部１０５と、リダイアル電話番号記憶部１０６とから構成されている。
【００２４】
定時情報送信部１０１は、警備装置１００と監視センタ２００とを接続している通信回線が断線しているか否かおよび警備装置１００が正常に機能しているか否かを確認するための情報を後述する監視センタ電話番号記憶部１０２に格納されている監視センタ２００の電話番号に定期的に送信することを指示し、通信回線が接続しているか否かを判断するものである。
【００２５】
監視センタ電話番号記憶部１０２は、異常を検知した際に警報情報を送信する送信先、および定時情報送信部１０１が接続確認をするための確認情報の送信先である監視センタ２００の電話番号を記憶しておくものである。
【００２６】
電話番号入力部１０３は、電話番号の入力を受付けるものである。具体的には、利用者が操作パネルに設置してある数字のボタンを押下するなどによって電話番号の入力を受付けるものである。
【００２７】
通信制御部１０４は、定時情報送信部１０１によって監視センタ２００への通信回線の接続、電話番号入力部１０３によって入力された電話番号に対応する通信機器、具体的には電話機３００への通信回線の接続、または後述するリダイアル入力部１０５によって指示されたリダイアル番号記憶部１０６に格納されている電話番号の通信機器への通信回線の接続を行うものである。また、接続を行った電話番号の中で監視センタ２００以外の電話番号を後述するリダイアル電話番号記憶部１０６に格納するものである。
【００２８】
リダイアル入力部１０５は、リダイアルの入力を受付け、リダイアルの入力を受付けた場合には、リダイアル電話番号記憶部１０６に格納しているリダイアル電話番号を取得し、通信制御部１０４に対して取得したリダイアル電話番号の通信機器への通信回線の接続を指示するものである。リダイアルの入力の受付けは、具体的には操作パネルなどに設置しているリダイアルボタンなどを押下することによって行うものである。ここで、リダイアル機能とは、前回通話した通話先の電話番号の通信機器に対して通信回線の再接続を行う機能をいう。
【００２９】
リダイアル電話番号記憶部１０６は、電話番号入力部１０３によって入力された電話番号およびリダイアル入力部１０５によって入力された電話番号を記憶するものである。本実施の形態において、リダイアル電話番号記憶部１０６は１つの電話番号のみを格納する。
【００３０】
次に、以上のように構成されている警備装置１００によるリダイアル電話番号格納処理について説明する。図２は、通信制御部が行うリダイアル電話番号格納処理手順を示すフローチャートである。
【００３１】
まず、通信制御部１０４は、通信回線との接続を行ったか否かを判断する（ステップＳ２００１）。具体的には、定時情報送信部１０１によって監視センタ２００と通信回線を接続する場合、電話番号入力部１０３によって入力された電話番号の通信機器に通信回線を接続する場合、またはリダイアル入力部１０５によってリダイアル電話番号記憶部１０６に格納されている電話番号の通信機器に通信回線を接続する場合について接続を行ったか否かを判断するものである。
【００３２】
通信回線との接続を行っていないと判断した場合には（ステップＳ２００１：Ｎｏ）、ステップＳ２００１に戻る。通信回線との接続を行ったと判断した場合には（ステップＳ２００１：Ｙｅｓ）、通信制御部１０４は監視センタ電話番号記憶部１０２から監視センタ２００の電話番号を取得する（ステップＳ２００２）。
【００３３】
通信制御部１０４は、接続した電話番号と監視センタ２００の電話番号は同一であるか否かを判断する（ステップＳ２００３）。接続した電話番号と監視センタ２００の電話番号は同一であると判断した場合には（ステップＳ２００３：Ｙｅｓ）処理を終了し、接続した電話番号と監視センタ２００の電話番号は同一でないと判断した場合には（ステップＳ２００３：Ｎｏ）、接続した電話番号をリダイアル電話番号記憶部に格納する（ステップＳ２００４）。具体的に図を用いて説明する。図４−１は、リダイアル電話番号記憶部にリダイアル電話番号を格納する例を示す説明図である。通信回線と接続した電話番号“０３−ＡＡＡＡ−ＡＡＡＡ”を１つの電話番号を格納できるリダイアル電話番号記憶部１０６に格納する。
【００３４】
次に、警備装置１００によるリダイアル処理について説明する。図３は、リダイアル入力部、通信制御部が行うリダイアル処理手順を示すフローチャートである。
【００３５】
まず、リダイアル入力部１０５は、リダイアルの入力を受付けたか否かを判断する（ステップＳ３００１）。リダイアルの入力を受付けていないと判断した場合には（ステップＳ３００１：Ｎｏ）、ステップＳ３００１に戻る。リダイアルの入力を受付けたと判断した場合には（ステップＳ３００１：Ｙｅｓ）、リダイアル入力部１０５はリダイアル電話番号記憶部１０６からリダイアル電話番号を取得する（ステップＳ３００２）。具体的に図を用いて説明する。図４−２は、リダイアル電話番号記憶部からリダイアル電話番号を取得する例を示す説明図である。リダイアル電話番号記憶部１０６に格納された前回通信回線を接続した電話番号“０３−ＡＡＡＡ−ＡＡＡＡ”を取得する。リダイアル入力部１０５は、取得したリダイアル電話番号の通信回線への接続を通信制御部１０４に指示する（ステップＳ３００３）。通信制御部１０４は、指示されたリダイアル電話番号で通信回線を接続する（ステップＳ３００４）。
【００３６】
このように、警備装置から接続した電話番号のうち、監視センタ以外の電話番号をリダイアル電話番号として格納し、リダイアルの入力を受付けた場合に当該リダイアル電話番号の通信機器に通信回線を接続することができるため、利用者が意識している前回通話した通話先に再度通信回線を接続することができる。
【００３７】
（第２の実施の形態）
第２の実施の形態について、添付図面を参照して説明する。第２の実施の形態にかかる警備装置は、警備装置が備える電話機能によって通信回線と接続した電話番号を複数記憶し、リダイアル機能によって記憶されている電話番号に通信回線を再接続するものである。
【００３８】
本発明が適用される警備装置の構成例について説明する。図５は、第２の実施の形態にかかる警備装置を含む監視システムの構成を示すブロック図である。監視システム５０は、警備装置５００と、監視センタ２００と、通信機器３００とから構成されており、警備装置５００と、監視センタ２００と、複数の通信機器３００ａ〜ｎとは電話回線、無線ネットワーク、インターネットなどのネットワーク４００を介して接続されている。ここで、監視センタ２００と、通信機器３００の構成、機能は、第１の実施の形態と同様であるので、説明を省略する。
【００３９】
本実施の形態の警備装置５００は、定時情報送信部１０１と、監視センタ電話番号記憶部１０２と、電話番号入力部１０３と、通信制御部５０４と、リダイアル入力部１０５と、リダイアル電話番号記憶部５０６とから構成されている。ここで、定時情報送信部１０１と、監視センタ電話番号記憶部１０２と、電話番号入力部１０３と、リダイアル入力部１０５の構成、機能は、第１の実施の形態と同様であるので、説明を省略する。
【００４０】
リダイアル電話番号記憶部５０６は、電話番号入力部１０３によって入力された電話番号およびリダイアル入力部１０５によって入力された電話番号を記憶するものである。本実施の形態では、リダイアル電話番号記憶部５０６は複数の電話番号をＬＩＦＯ（Last In First Out）方式でRead/Writeするメモリである。よって、格納されたリダイアル電話番号は新しく格納されたリダイアル電話番号から先に取り出される。
【００４１】
通信制御部５０４は、第１の実施の形態の通信制御部１０４の構成、機能に加えて、接続を行った電話番号の中で、監視センタ２００以外の電話番号を接続した順にリダイアル電話番号記憶部５０６に格納するものである。
【００４２】
次に、以上のように構成されている警備装置５００によるリダイアル電話番号格納処理について説明する。図６は、通信制御部が行うリダイアル電話番号格納処理手順を示すフローチャートである。
【００４３】
まず、通信制御部５０４は、通信回線との接続を行ったか否かを判断する（ステップＳ６００１）。具体的には、定時情報送信部１０１によって監視センタ２００と通信回線を接続する場合、電話番号入力部１０３によって入力された電話番号の通信機器に通信回線を接続する場合、またはリダイアル入力部１０５によってリダイアル電話番号記憶部５０６に格納されている電話番号の通信機器に通信回線を接続する場合について接続を行ったか否かを判断するものである。
【００４４】
通信回線との接続を行っていないと判断した場合には（ステップＳ６００１：Ｎｏ）、ステップＳ６００１に戻る。通信回線との接続を行ったと判断した場合には（ステップＳ６００１：Ｙｅｓ）、通信制御部５０４は監視センタ電話番号記憶部１０２から監視センタ２００の電話番号を取得する（ステップＳ６００２）。
【００４５】
通信制御部５０４は、接続した電話番号と監視センタ２００の電話番号は同一であるか否かを判断する（ステップＳ６００３）。接続した電話番号と監視センタ２００の電話番号は同一であると判断した場合には（ステップＳ６００３：Ｙｅｓ）処理を終了し、接続した電話番号と監視センタ２００の電話番号は同一でないと判断した場合には（ステップＳ６００３：Ｎｏ）、接続した電話番号をリダイアル電話番号記憶部５０６に接続した順に格納する（ステップＳ６００４）。
【００４６】
具体的に図を用いて説明する。図８−１、図８−２は、リダイアル電話番号記憶部にリダイアル電話番号を格納する例を示す説明図である。まず、最初に通信回線を接続した電話番号“０３−ＡＡＡＡ−ＡＡＡＡ”をリダイアル電話番号記憶部５０６の先頭に格納する（図８−１）。次に電話番号“０３−ＢＢＢＢ−ＢＢＢＢ”で通話した場合には、電話番号“０３−ＢＢＢＢ−ＢＢＢＢ”をリダイアル電話番号記憶部５０６先頭に格納する（図８−２）。
【００４７】
警備装置５００によるリダイアル処理について説明する。図７は、リダイアル入力部、通信制御部が行うリダイアル処理手順を示すフローチャートである。
【００４８】
まず、リダイアル入力部１０５は、リダイアルの入力を受付けたか否かを判断する（ステップＳ７００１）。リダイアルの入力を受付けていないと判断した場合には（ステップＳ７００１：Ｎｏ）、ステップＳ７００１に戻る。リダイアルの入力を受付けたと判断した場合には（ステップＳ７００１：Ｙｅｓ）、リダイアル入力部１０５はリダイアル電話番号記憶部５０６から先頭に格納されているリダイアル電話番号を取得する（ステップＳ７００２）。
【００４９】
具体的に図を用いて説明する。図８−３は、リダイアル電話番号記憶部からリダイアル電話番号を取得する例を示す説明図である。リダイアル電話番号記憶部５０６に格納された先頭の電話番号“０３−ＢＢＢＢ−ＢＢＢＢ”を取得する。すなわち、リダイアル電話番号記憶部５０６に最も新しく格納されたリダイアル電話番号が取得されることとなる。リダイアル入力部１０５は、取得したリダイアル電話番号の通信回線への接続を通信制御部５０４に指示する（ステップＳ７００３）。通信制御部５０４は、指示されたリダイアル電話番号で通信回線を接続する（ステップＳ７００４）。
【００５０】
このように、警備装置から接続した電話番号のうち、監視センタ以外の電話番号をリダイアル電話番号として格納し、リダイアルの入力を受付けた場合に格納されているリダイアル電話番号のうち、最新のリダイアル電話番号の通信機器に通信回線を接続することができるため、利用者が意識している前回通話した通話先に再度通信回線を接続することができる。
【００５１】
なお、リダイアル電話番号記憶部５０６は、上述したＬＩＦＯのデータ形式でなく、リスト構造などの他のデータ形式を用いてもよい。
【００５２】
（第３の実施の形態）
第３の実施の形態について、添付図面を参照して説明する。第３の実施の形態にかかる警備装置は、警備装置が備える電話機能によって通信回線と接続した電話番号を複数記憶し、リダイアル機能によって記憶されている電話番号に通信回線を再接続するものである。
【００５３】
本発明が適用される警備装置の構成例について説明する。図９は、第３の実施の形態にかかる警備装置の構成を示すブロック図である。監視システム９０は、警備装置９００と、監視センタ２００と、通信機器３００とから構成されており、警備装置９００と、監視センタ２００と、複数の通信機器３００ａ〜ｎとは電話回線、無線ネットワーク、インターネットなどのネットワーク４００を介して接続されている。ここで、監視センタ２００と、通信機器３００の構成、機能は、第１の実施の形態と同様であるので、説明を省略する。
【００５４】
本実施の形態の警備装置９００は、定時情報送信部１０１と、監視センタ電話番号記憶部１０２と、電話番号入力部１０３と、通信制御部９０４と、リダイアル入力部９０５と、リダイアル電話番号記憶部５０６とから構成されている。ここで、定時情報送信部１０１と、監視センタ電話番号記憶部１０２と、電話番号入力部１０３の構成、機能は、第１の実施の形態と同様であるので、説明を省略する。また、リダイアル電話番号記憶部５０６の構成、機能は、第２の実施の形態と同様であるので、説明を省略する。
【００５５】
通信制御部９０４は、定時情報送信部１０１によって監視センタ２００への通信回線の接続、電話番号入力部１０３によって入力された電話番号に対応する通信機器、具体的には電話機３００への通信回線の接続、または後述するリダイアル入力部９０５によって指示されたリダイアル電話番号記憶部５０６に格納されている電話番号の通信機器への通信回線の接続を行うものである。また、接続を行った総ての電話番号をリダイアル電話番号記憶部５０６に格納するものである。
【００５６】
リダイアル入力部９０５は、リダイアルの入力を受付け、リダイアルの入力を受付けた場合には、リダイアル電話番号記憶部５０６に格納しているリダイアル電話番号を取得し、監視センタ電話番号記憶部１０２から取得した監視センタ２００の電話番号と同一でない場合に通信制御部９０４に対して取得したリダイアル電話番号の通信機器への通信回線の接続を指示するものである。リダイアルの入力の受付けは、具体的には操作パネルなどに設置しているリダイアルボタンなどを押下することによって行うものである。
【００５７】
次に、以上のように構成されている警備装置９００によるリダイアル電話番号格納処理について説明する。図１０は、通信制御部が行うリダイアル電話番号格納処理手順を示すフローチャートである。
【００５８】
まず、通信制御部９０４は、通信回線との接続を行ったか否かを判断する（ステップＳ１０００１）。具体的には、定時情報送信部１０１によって監視センタ２００と通信回線を接続する場合、電話番号入力部１０３によって入力された電話番号の通信機器に通信回線を接続する場合、またはリダイアル入力部９０５によってリダイアル電話番号記憶部５０６に格納されている電話番号の通信機器に通信回線を接続する場合について接続を行ったか否かを判断するものである。
【００５９】
通信回線との接続を行っていないと判断した場合には（ステップＳ１０００１：Ｎｏ）、ステップＳ１０００１に戻る。通信回線との接続を行ったと判断した場合には（ステップＳ１０００１：Ｙｅｓ）、通信制御部９０４は接続した電話番号をリダイアル電話番号記憶部５０６に接続した順に格納する（ステップＳ１０００２）。
【００６０】
具体的に図を用いて説明する。図１２−１、図１２−２は、リダイアル電話番号記憶部にリダイアル電話番号を格納する例を示す説明図である。まず、電話番号入力部１０３によって入力された電話番号“０３−ＡＡＡＡ−ＡＡＡＡ”をリダイアル電話番号記憶部５０６の先頭に格納する（図１２−１）。次に、定時情報送信部１０１が通信回線の確認情報の送信を指示した監視センタ２００の電話番号“０３−ＸＸＸＸ−ＸＸＸＸ”をリダイアル電話番号記憶部５０６の先頭に格納する（図１２−２）。
【００６１】
次に、警備装置９００によるリダイアル処理について説明する。図１１は、リダイアル入力部、通信制御部が行うリダイアル処理手順を示すフローチャートである。
【００６２】
まず、リダイアル入力部９０５は、リダイアルの入力を受付けたか否かを判断する（ステップＳ１１００１）。リダイアルの入力を受付けていないと判断した場合には（ステップＳ１１００１：Ｎｏ）、ステップＳ１１００１に戻る。リダイアルの入力を受付けたと判断した場合には（ステップＳ１１００１：Ｙｅｓ）、リダイアル入力部９０５は監視センタ電話番号記憶部１０２から監視センタ２００の電話番号を取得する（ステップＳ１１００２）。
【００６３】
リダイアル入力部９０５は、リダイアル電話番号記憶部５０６から新しく格納された電話番号から順にリダイアル電話番号を取得する（ステップＳ１１００３）。すなわち、リダイアル電話番号記憶部５０６の先頭に格納されているリダイアル電話番号を取得する。リダイアル入力部９０５は、指示されたリダイアル電話番号が監視センタ２００の電話番号と同一か否かを判断する（ステップＳ１１００４）。
【００６４】
取得したリダイアル電話番号が監視センタ２００の電話番号と同一であると判断した場合には（ステップＳ１１００４：Ｙｅｓ）、ステップＳ１１００３に戻る。取得したリダイアル電話番号が監視センタ２００の電話番号と同一でないと判断した場合には（ステップＳ１１００４：Ｎｏ）、リダイアル入力部９０５は、取得したリダイアル電話番号の通信回線への接続を通信制御部９０４に指示する（ステップＳ１１００５）。通信制御部９０４は、取得したリダイアル電話番号で通信回線を接続する（ステップＳ１１００６）。
【００６５】
具体的に図を用いて説明する。図１２−３、図１２−４は、リダイアル電話番号記憶部からリダイアル電話番号を取得する例を示す説明図である。まず、リダイアル電話番号記憶部５０６に格納された先頭の電話番号“０３−ＸＸＸＸ−ＸＸＸＸ”を取得する。ここでは、監視センタ２００の電話番号が取得されたため、通信回線の接続は行わない。次に、リダイアル電話番号記憶部５０６に格納された“０３−ＸＸＸＸ−ＸＸＸＸ”の次の電話番号“０３−ＡＡＡＡ−ＡＡＡＡ”を取得する。当該リダイアル電話番号は監視センタ２００の電話番号ではないため、通信制御部９０４は取得したリダイアル電話番号で通信回線を接続する。
【００６６】
このように、警備装置から接続した総ての電話番号をリダイアル電話番号として格納し、リダイアルの入力を受付けた場合に格納されているリダイアル電話番号のうち、監視センタの電話番号ではない最も新しく格納されたリダイアル電話番号の通信機器に通信回線を接続することができるため、利用者が意識している前回通話した通話先に再度通信回線を接続することができる。
【００６７】
（第４の実施の形態）
第４の実施の形態について、添付図面を参照して説明する。第４の実施の形態にかかる警備装置は、警備装置と接続している通信機器または警備装置の電話機能によって通信回線と接続した電話番号を複数記憶し、リダイアル機能によって記憶されている電話番号に通信回線を再接続するものである。
【００６８】
本発明が適用される警備装置の構成例について説明する。図１３は、第４の実施の形態にかかる警備装置の構成を示すブロック図である。監視システム１３０は、警備装置１３００と、電話機１４００と、監視センタ２００と、通信機器３００とから構成されており、警備装置１３００と、監視センタ２００と、複数の通信機器３００ａ〜ｎとは電話回線、無線ネットワーク、インターネットなどのネットワーク４００を介して接続されている。また、警備装置１３００と、電話機１４００とは接続ケーブルで接続されている。ここで、監視センタ２００と、通信機器３００の構成、機能は、第１の実施の形態と同様であるので、説明を省略する。
【００６９】
電話機１４００は、通常の電話機またはＩＰ電話などであり、警備装置１３００に接続され、警備装置１３００の通信制御部１３０４を介して通信回線に接続するものである。
【００７０】
本実施の形態の警備装置１３００は、定時情報送信部１０１と、監視センタ電話番号記憶部１０２と、電話番号入力部１０３と、通信制御部１３０４と、リダイアル入力部１０５と、リダイアル電話番号記憶部１０６とから構成されている。ここで、定時情報送信部１０１と、監視センタ電話番号記憶部１０２と、電話番号入力部１０３と、リダイアル入力部１０５と、リダイアル番号記憶部１０６の構成、機能は、第１の実施の形態と同様であるので、説明を省略する。
【００７１】
通信制御部１３０４は、電話機１４００からの通信回線の接続、定時情報送信部１０１によって監視センタ２００への通信回線の接続、電話番号入力部１０３によって入力された電話番号に対応する通信機器、具体的には通信機器３００への通信回線の接続、またはリダイアル入力部１０５によって指示されたリダイアル電話番号記憶部１０６に格納されている電話番号の通信機器への通信回線の接続を行うものである。また、接続を行った電話番号で、監視センタ２００の電話番号以外の電話番号をリダイアル電話番号記憶部１０６に格納するものである。
【００７２】
以上のように構成されている警備装置１３００によるリダイアル電話番号格納処理については、図２の通信制御部が行うリダイアル電話番号格納処理手順を示すフローチャートと同様であるので、図２および図２の説明を参照し、ここでの説明を省略する。
【００７３】
また、警備装置１３００によるリダイアル処理については、図３のリダイアル入力部、通信制御部が行うリダイアル処理手順を示すフローチャートと同様であるので、図３および図３の説明を参照し、ここでの説明を省略する。
【００７４】
このように、警備装置に接続されている電話機からの通話についても、通信回線に接続した電話番号をリダイアル電話番号として格納し、リダイアルの入力を受付けた場合には格納されているリダイアル電話番号のうち、最も新しく格納されたリダイアル電話番号の通信機器に通信回線を接続することができるため、警備装置と電話機のいずれから通話した場合であっても利用者が意識している前回通話した通話先に再度通信回線を接続することができる。
【００７５】
なお、第１〜第４の実施の形態（以下、本実施の形態という）の警備装置で実行される警備プログラムは、ＲＯＭ等に予め組み込まれて提供される。
【００７６】
本実施の形態の警備装置で実行される警備プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００７７】
さらに、本実施の形態の警備装置で実行される警備プログラムを、インターネット等のネットワークに接続されたコンピュータ上に格納し、ネットワーク経由でダウンロードさせることにより提供するように構成してもよい。また、本実施の形態の警備装置で実行される警備プログラムをインターネット等のネットワーク経由で提供または配布するように構成してもよい。
【００７８】
本実施の形態の警備装置で実行される警備プログラムは、上述した各部（電話番号入力部、通信制御部、リダイアル入力部など）を含むモジュール構成となっており、実際のハードウェアとしてはＣＰＵ（プロセッサ）が上記ＲＯＭから警備プログラムを読み出して実行することにより上記各部が主記憶装置上にロードされ、電話番号入力部、通信制御部、リダイアル入力部などが主記憶装置上に生成されるようになっている。
【図面の簡単な説明】
【００７９】
【図１】第１の実施の形態にかかる警備装置を含む監視システムの構成を示すブロック図である。
【図２】通信制御部が行うリダイアル電話番号格納処理手順を示すフローチャートである。
【図３】リダイアル入力部、通信制御部が行うリダイアル処理手順を示すフローチャートである。
【図４−１】リダイアル電話番号記憶部にリダイアル電話番号を格納する例を示す説明図である。
【図４−２】リダイアル電話番号記憶部からリダイアル電話番号を取得する例を示す説明図である。
【図５】第２の実施の形態にかかる警備装置を含む監視システムの構成を示すブロック図である。
【図６】通信制御部が行うリダイアル電話番号格納処理手順を示すフローチャートである。
【図７】リダイアル入力部、通信制御部が行うリダイアル処理手順を示すフローチャートである。
【図８−１】リダイアル電話番号記憶部にリダイアル電話番号を格納する例を示す説明図である。
【図８−２】リダイアル電話番号記憶部にリダイアル電話番号を格納する例を示す説明図である。
【図８−３】リダイアル電話番号記憶部からリダイアル電話番号を取得する例を示す説明図である。
【図９】第３の実施の形態にかかる警備装置の構成を示すブロック図である。
【図１０】通信制御部が行うリダイアル電話番号格納処理手順を示すフローチャートである。
【図１１】リダイアル入力部、通信制御部が行うリダイアル処理手順を示すフローチャートである。
【図１２−１】リダイアル電話番号記憶部にリダイアル電話番号を格納する例を示す説明図である。
【図１２−２】リダイアル電話番号記憶部にリダイアル電話番号を格納する例を示す説明図である。
【図１２−３】リダイアル電話番号記憶部からリダイアル電話番号を取得する例を示す説明図である。
【図１２−４】リダイアル電話番号記憶部からリダイアル電話番号を取得する例を示す説明図である。
【図１３】第４の実施の形態にかかる警備装置の構成を示すブロック図である。
【符号の説明】
【００８０】
１０  ５０  ９０  １３０  監視システム
１００  ５００  ９００  １３００  警備装置
１０１  定時情報送信部
１０２  監視センタ電話番号記憶部
１０３  電話番号入力部
１０４  ５０４  ９０４  １３０４  通信制御部
１０５  ９０５  リダイアル入力部
１０６  ５０６  リダイアル電話番号記憶部
２００  監視センタ
３００  通信機器
４００  ネットワーク
１４００  電話機
【図１】
2006279875.tif 000003
【図２】
2006279875.tif 000004
【図３】
2006279875.tif 000005
【図４−１】
2006279875.tif 000006
【図４−２】
2006279875.tif 000007
【図５】
2006279875.tif 000008
【図６】
2006279875.tif 000009
【図７】
2006279875.tif 000010
【図８−１】
2006279875.tif 000011
【図８−２】
2006279875.tif 000012
【図８−３】
2006279875.tif 000013
【図９】
2006279875.tif 000014
【図１０】
2006279875.tif 000015
【図１１】
2006279875.tif 000016
【図１２−１】
2006279875.tif 000017
【図１２−２】
2006279875.tif 000018
【図１２−３】
2006279875.tif 000019
【図１２−４】
2006279875.tif 000020
【図１３】
2006279875.tif 000021